(57)【要約】    【課題】  目標とする白色色度及びガンマカーブに応じた表示特性を与える補正データを一連の補正処理によって得ることで特性にがたつきのない補正データを得ること。    【解決手段】  先ず、少なくとも１つの入力が最大値であり、かつ目標とする白色色度（xw,yw）となるディスプレイへの入力データ（r,g,b）を、映像入力（R,G,B）が全て最大値の場合の補正データとして格納し、次に、この最大入力時の輝度レベルを基準として各入力レベルｉにおける輝度レベルYiが設定したい輝度曲線上となるように調整し、この輝度レベルYiと白色色度（xw,yw）とから３刺激値（Xi,Yi,Zi）を求め、この３刺激値（Xi,Yi,Zi）に最も近い組合わせを得られるディスプレイへの入力データ（r,g,b）を映像入力（Ri,Gi,Bi）に対する補正データ（ri,gi,bi）とし、これを最大入力レベルを除く全ての入力レベルｉについて求めてこれを赤色用ＬＵＴ、緑色用ＬＵＴ、青色用ＬＵＴの３つに格納する。【選択図】    図１
2006258850.tif 000002
【特許請求の範囲】
【請求項１】
入力映像信号としてのＲＧＢ信号のそれぞれに対応した補正データを選択してディスプレイに出力する赤色用ＬＵＴ、緑色用ＬＵＴ、青色用ＬＵＴの３つのルックアップテーブルからなるガンマ補正回路において、前記赤色用ＬＵＴ、緑色用ＬＵＴ、青色用ＬＵＴの３つに予め格納しておく補正データは、先ず、少なくともＲＧＢの１つの入力が最大値であり、かつ目標とする白色色度（xw,yw）となるディスプレイへの入力データ（r,g,b）を、映像入力（R,G,B）が全て最大値の場合の補正データとして格納し、次に、この最大入力時の輝度レベルを基準として、各入力レベルｉにおける輝度レベルYiが設定したい輝度曲線上となるように調整し、この輝度レベルYiと白色色度（xw,yw）とから３刺激値（Xi,Yi,Zi）を求め、この３刺激値（Xi,Yi,Zi）に最も近い組合わせを得られるディスプレイへの入力データ（r,g,b）を映像入力（Ri,Gi,Bi）に対する補正データ（ri,gi,bi）とし、これを最大入力レベルを除く全ての入力レベルｉについて求めてこれを赤色用ＬＵＴ、緑色用ＬＵＴ、青色用ＬＵＴの３つに格納しておくようにしたことを特徴とするガンマ補正回路。
【請求項２】
ある入力レベルｊ以下の部分においては、白色色度は考慮せずに、ディスプレイへの入力データ（rj+1,gj+1,bj+1）を基準として、３原色それぞれで輝度レベルのみを考慮して補正データを生成して、前記赤色用ＬＵＴ、緑色用ＬＵＴ、青色用ＬＵＴの３つに予め格納しておくようにしたことを特徴とする請求項１記載のガンマ補正回路。
【請求項３】
前記ガンマ補正回路（以下、第１の補正回路）に加えて、３つの映像入力（R,G,B）が入力されて第１の補正回路とは異なる白色色度に設定した補正データを出力する第２の補正回路と、これら第１の補正回路と第２の補正回路とでそれぞれ選択された補正データの３原色の各色毎に係数を乗じて和を演算し、これを第３の補正データとしてディスプレイに出力する係数回路とを具備してなることを特徴とする請求項１記載のガンマ補正回路。
【発明の詳細な説明】
【技術分野】
【０００１】
本発明は、液晶ディスプレイなどのカラーディスプレイ装置の白色色度及びガンマカーブの表示特性を補正するための技術に関するものである。
【背景技術】
【０００２】
従来、陰極線管（以下ＣＲＴ）、液晶ディスプレイ（以下ＬＣＤ）等のディスプレイ装置においては、微小な多数の３原色画素Ｒ（赤）、Ｇ（緑）、Ｂ（青）からの色を加法混色の原理に従って合成することによって、多様な色を表現している。これらのディスプレイ装置のうちＣＲＴは略忠実にこの加法混色の原理に従うが、ＬＣＤの場合、表示色範囲が階調によって変化する特性を有しており、また、入力レベルが大から小に変化するのに伴って、白色の色度が赤よりから青よりへ変化する特性を有しているため、加法混色の原理をそのまま適用することができないと言う問題があった。
【０００３】
この問題点を解決するために、例えば、特許文献１に記載のカラー表示装置では、主として青色信号に対してのみ補正用ＬＵＴを用いて調整を行うことで、カラー液晶パネルの青色偏移特性を補正しているが、このように青色信号に対してのみ補正を行う方法では、補正後の色度点を一点に集めることができず、入力階調レベルによって無彩色の表示色に色ずれが生じていた。
【０００４】
これをさらに解消したものとしては、例えば、特許文献２に記載のカラー表示装置が存在する。この特許文献２に記載のカラー表示装置では、３原色（ＲＧＢ）のそれぞれの３刺激値階調特性の測定値を合成し、無彩色の３刺激値階調特性の測定値と、合成された３刺激値階調特性との比を補正係数として、各色の３刺激値階調特性の測定値のそれぞれを補正し、補正された各色の３刺激値階調特性から３色を合成した任意の色度を算出することで、無彩色の色度の計算値と実測値とを一致させている。また、補正された各色の３刺激値階調特性から３色を合成した色度を算出した場合に、無彩色が入力階調レベルに関わらず、ほぼ一定の色度となるように、３原色の各カラー信号を補正することによって、無彩色を表示する際に基準色からの色ずれを防いでいる。
【特許文献１】特開２００１−０４２８３３号公報
【特許文献２】特開２００３−２８８０５６号公報
【発明の開示】
【発明が解決しようとする課題】
【０００５】
この特許文献２に記載のカラー表示装置では、３刺激値階調特性を調整して無彩色の色度の計算値と実測値とを一致させる補正、及び、無彩色が入力階調レベルに関わらず、３刺激値階調特性から合成した色度がほぼ一定となるように、３原色の各カラー信号を補正することによって、無彩色を表示する際に基準色からの色ずれを防ぐ補正を行っている。これらの補正においては、赤色信号及び青色信号のレベルを変化させるため、補正の程度によっては、ガンマカーブのずれが大きくなってしまうが、補正の過程ではガンマカーブを意識していないため、ディスプレイの特性に合わせてガンマ補正を行う場合には、上記補正を行った後にさらにガンマ補正を行うことで対応している。しかし、このような２段階の補正を行うと、補正後の特性にがたつきが生じ易いという問題があった。また、ガンマカーブをＬＣＤが元来有するもの以外の形状とする場合、処理が煩雑となるという問題もある。
【０００６】
本発明は、上記問題点に鑑みなされたものであり、目標とする白色色度及びガンマカーブに応じた表示特性を与える補正データを一連の補正処理によって得ることで特性にがたつきのない補正データを得ることを目的とするものである。
【課題を解決するための手段】
【０００７】
本発明の請求項１は、入力映像信号としてのＲＧＢ信号のそれぞれに対応した補正データを選択してディスプレイに出力する赤色用ＬＵＴ、緑色用ＬＵＴ、青色用ＬＵＴの３つのルックアップテーブルからなるガンマ補正回路において、前記赤色用ＬＵＴ、緑色用ＬＵＴ、青色用ＬＵＴの３つに予め格納しておく補正データは、先ず、少なくともＲＧＢの１つの入力が最大値であり、かつ目標とする白色色度（xw,yw）となるディスプレイへの入力データ（r,g,b）を、映像入力（R,G,B）が全て最大値の場合の補正データとして格納し、次に、この最大入力時の輝度レベルを基準として、各入力レベルｉにおける輝度レベルYiが設定したい輝度曲線上となるように調整し、この輝度レベルYiと白色色度（xw,yw）とから３刺激値（Xi,Yi,Zi）を求め、この３刺激値（Xi,Yi,Zi）に最も近い組合わせを得られるディスプレイへの入力データ（r,g,b）を映像入力（Ri,Gi,Bi）に対する補正データ（ri,gi,bi）とし、これを最大入力レベルを除く全ての入力レベルｉについて求めてこれを赤色用ＬＵＴ、緑色用ＬＵＴ、青色用ＬＵＴの３つに格納しておくようにしたことを特徴とするガンマ補正回路である。
【０００８】
本発明の請求項２は、請求項１に加えて、ある入力レベルｊ以下の部分においては、白色色度は考慮せずに、ディスプレイへの入力データ（rj+1,gj+1,bj+1）を基準として、３原色それぞれで輝度レベルのみを考慮して補正データを生成して、前記赤色用ＬＵＴ、緑色用ＬＵＴ、青色用ＬＵＴの３つに予め格納しておくようにしたことを特徴とするガンマ補正回路である。
【０００９】
本発明の請求項３は、請求項１に加えて、前記ガンマ補正回路（以下、第１の補正回路）に加えて、３つの映像入力（R,G,B）が入力されて第１の補正回路とは異なる白色色度に設定した補正データを出力する第２の補正回路と、これら第１の補正回路と第２の補正回路とでそれぞれ選択された補正データの３原色の各色毎に係数を乗じて和を演算し、これを第３の補正データとしてディスプレイに出力する係数回路とを具備してなることを特徴とするガンマ補正回路である。
【発明の効果】
【００１０】
請求項１記載の発明によれば、目標とする白色色度に設定する調整と目的とする輝度曲線とするための輝度調整を同時に行いながら補正データを生成することにより、２段階に補正を行っていた場合の問題点である補正後の特性のがたつきを解消し、滑らかな色度曲線を得ることができる。
【００１１】
請求項２記載の発明によれば、低輝度レベル部分においては色度調整が困難であり、かつ、階調ががたつくという問題に対して、３原色それぞれで輝度レベルのみを考慮して補正データを生成することで、低輝度レベル部分において階調変化の滑らかな補正データを得ることができる。
【００１２】
請求項３記載の発明によれば、請求項１に記載のガンマ補正回路（以下、第１の補正回路）に加えて、第１の補正回路とは異なる白色色度に設定した補正データを出力する第２の補正回路を設け、これら補正回路からの３原色出力の各色毎に係数回路で係数を乗じて和を演算して、これを第３の補正データとしてディスプレイに出力するようにしたので、第１の補正回路において設定した白色色度と第２の補正回路において設定した白色色度との中間に存在する白色色度を演算によって近似的に求めて出力することが可能となり、回路規模を増やすことなく目標とする白色色度を広い範囲で選択可能な構成を実現することができる。
【発明を実施するための最良の形態】
【００１３】
本発明によるガンマ補正回路は、入力映像信号としてのＲＧＢ信号のそれぞれに対応した補正データを選択してディスプレイに出力する赤色用ＬＵＴ、緑色用ＬＵＴ、青色用ＬＵＴの３つのルックアップテーブルからなるガンマ補正回路において、前記赤色用ＬＵＴ、緑色用ＬＵＴ、青色用ＬＵＴの３つに予め格納しておく補正データは、先ず、少なくともＲＧＢの１つの入力が最大値であり、かつ目標とする白色色度（xw,yw）となるディスプレイへの入力データ（r,g,b）を、映像入力（R,G,B）が全て最大値の場合の補正データとして格納し、次に、この最大入力時の輝度レベルを基準として、各入力レベルｉにおける輝度レベルYiが設定したい輝度曲線上となるように調整し、この輝度レベルYiと白色色度（xw,yw）とから３刺激値（Xi,Yi,Zi）を求め、この３刺激値（Xi,Yi,Zi）に最も近い組合わせを得られるディスプレイへの入力データ（r,g,b）を映像入力（Ri,Gi,Bi）に対する補正データ（ri,gi,bi）とし、これを最大入力レベルを除く全ての入力レベルｉについて求めてこれを赤色用ＬＵＴ、緑色用ＬＵＴ、青色用ＬＵＴの３つに格納しておくようにしたことを特徴とするものである。以下、図面に基づいて詳細に説明を行う。
【実施例１】
【００１４】
本発明の実施の形態を図面に基づいて説明する。図１に示すのは、本発明によるガンマ補正回路の構成を示したブロック図であり、この図１において、赤色信号（Ｒ信号）入力端子１１、緑色信号（Ｇ信号）入力端子１２、青色信号（Ｂ信号）入力端子１３からそれぞれ入力された３原色の入力映像信号は、本発明によるガンマ補正回路１４においてガンマ補正処理が行われた後に、後段の液晶ディスプレイ装置（ＬＣＤ）１５に出力される。このガンマ補正回路１４は、赤色用ルックアップテーブル（以下、赤色用ＬＵＴ）１６、緑色用ルックアップテーブル（以下、緑色用ＬＵＴ）１７、青色用ルックアップテーブル（以下、青色用ＬＵＴ）１８からなり、これらのＬＵＴは３原色それぞれの入力信号に対応したガンマ補正後の補正データを出力する構成となっている。本発明は、この赤色用ＬＵＴ１６、緑色用ＬＵＴ１７及び青色用ＬＵＴ１８に格納する補正データに特徴を有するものであり、以下、補正データの算出について説明する。なお、本実施例においては、入力映像信号が８ｂｉｔである場合を想定し、ＲＧＢ信号のそれぞれの階調数も２５６階調であるものとして説明を行っているが、あくまで一例であり、これに限定されるものではない。
【００１５】
次に、前記赤色用ＬＵＴ１６、緑色用ＬＵＴ１７及び青色用ＬＵＴ１８に格納する補正データの算出方法について説明する。前述の通り、ＬＣＤの特徴として、入力レベルが大から小に変化するのに伴って白色の色度が赤よりから青よりへ変化する特性があるため、この特性を補正した補正データを以下に示す方法で算出して、各ＬＵＴに格納する。
具体的には、図４に示すフローチャートに基づいて補正データを算出する。この図４は補正データ算出までの全体の流れを示したものであり、（S401）で開始後に、先ず（S402）において赤緑青色別階調特性測定を行い、次に（S403）において全白入力に対する補正データの算出を行い、さらに（S404）において全白以外の入力に対する補正データの算出を行って、（S405）で終了することで、補正データを得る。
【００１６】
前記（S402）における赤緑青色別階調特性測定は、詳細には図５に示すフローチャートに基づいて行われる。この図５の（S501）において、先ず、ＬＣＤの赤色階調特性を測定するために、rの値を0,１,2,…,255というように順次変化させた場合のそれぞれについて、ＬＣＤへの入力（r,0,0）に対する３刺激値XR(r)、YR(r)、ZR(r)を求める。同様に、次の（S502）において、gの値を0,１,2,…,255というように順次変化させた場合の緑色階調特性の入力（0,g,0）に対する３刺激値XG(r)、YG(r)、ZG(r)を求め、（S503）において、bの値を0,１,2,…,255というように順次変化させた場合の青色階調特性の入力（0,0,b）に対する３刺激値XB(r)、YB(r)、ZB(r)を求める。これら３原色のそれぞれ単独で測定した３刺激値が、加法混色の原理に従うとすると、入力（r,g,b）に対する３刺激値（Xrgb、Yrgb、Zrgb）を算出することができ、以下の式（１）〜（３）で表すことができる。
2006258850.tif 000003
【００１７】
次に、前記（S403）における全白入力に対する補正データの算出は、詳細には図６に示すフローチャートに基づいて行われる。この図６の（S601）において、少なくとも１つの入力が最大階調２５５であるＬＣＤ入力（r,g,b）に対するＬＣＤ出力の色度（xrgb,yrgb）を、前記式（１）〜（３）によって得られる３刺激値を用いて算出する。
さらに、次の図６の（S602）において、ＬＣＤ出力の色度（xrgb,yrgb）と目標とする白色色度（xw,yw）の差分（Δxyrgb）を、以下の式（４）を用いて算出する。
2006258850.tif 000004
ここで、全ての信号が最大階調である入力映像信号（R255,G255,B255）を入力した場合、白色色度が目標とする色度と異なるので、これを目標とする白色色度（xw,yw）に近づけるために、この式（４）を用いて、目標とする白色色度（xw,yw）との差分（Δxyrgb）が最も小さくなる色度（xrgb,yrgb）を得られるＬＣＤ入力（r,g,b）の組み合わせを算出する。このようにして選択されたＬＣＤ入力（r,g,b）の組み合わせを、図６の（S603）において、入力映像信号（R255,G255,B255）に対する補正データとして、前記赤色用ＬＵＴ１６、緑色用ＬＵＴ１７及び青色用ＬＵＴ１８にそれぞれ格納する。また、この選択されたＬＣＤ入力（r,g,b）の組み合わせから算出される輝度（Y刺激値）をY255と設定する。
【００１８】
次に、最大入力時以外の場合の白色色度の設定を図７に示すフローチャートに基づいて説明を行う。この最大入力時以外の場合の白色色度の設定のときに色度調整と共に目的とするガンマカーブとなるように輝度調整も同時に行うことで、階調特性ががたつくことを防いで滑らかな変化となるガンマカーブを得る。目標とするガンマカーブを例えば2.2乗ガンマカーブとする場合には、各入力レベルｉ（０≦ｉ≦２５５）に対する輝度Yiの値は、前記最大輝度Y255の値と以下の式（５）によって求めることができる。
2006258850.tif 000005
なお、2.2乗ガンマカーブに限るものではなく、入力輝度レベルの変化を設定可能な曲線であれば、どのような曲線を採用してもよい。
【００１９】
ここで、図７の（S701）において、設定した白色色度（xw,yw）に対して上記式（５）によって求めた輝度Yiの値を反映させることで、３刺激値（Xi、Yi、Zi）を求める。次に図７の（S702）において、ＬＣＤ入力（r,g,b）に対する前記式（１）〜（３）で求めた３刺激値（Xrgb、Yrgb、Zrgb）を算出する。これらを用いて、図７の（S703）において、このＬＣＤ入力（r,g,b）に対する３刺激値（Xrgb、Yrgb、Zrgb）と目標とする白色の３刺激値（Xi、Yi、Zi）との差分（ΔXYZrgbi）を以下の式（６）で求める。
2006258850.tif 000006
そして、図７の（S704）において、この式（６）で与えられる差分（ΔXYZrgbi）が最小となるＬＣＤ入力（r,g,b）の組合わせを、入力レベルｉに対応した補正データ（ri,gi,bi）として求める。これを０≦ｉ≦２５４の範囲全てで求める。
【００２０】
このようにして求めた各入力レベルｉに対応した入力（ri,gi,bi）は、入力映像信号Riに対する出力としてriを赤色用ＬＵＴ１６に書込み、入力映像信号Giに対する出力としてgiを緑色用ＬＵＴ１７に書込み、入力映像信号Biに対する出力としてbiを青色用ＬＵＴ１８に書込む。このデータに基づき各ＬＵＴを動作させることにより、入力レベルによる白色色度の変動が少ない表示を得ることが可能となる。
【００２１】
なお、図２に示すのは、ＬＣＤ１５自体の特性を表した補正前の色度曲線と本実施例による補正を行った後の色度曲線である。この図２からも分かるように、補正前の色度曲線は、色度x、色度y共に入力レベルが小さくなるのに伴って青色方向にシフトしてしまって色度ずれが生じてしまっている（傾きを持った曲線となっている）が、補正後の色度曲線は、色度x、色度y共に入力レベルが変化しても略一定値に定まっており、色度ずれが補正されているのが分かる。
【実施例２】
【００２２】
前記実施例１によれば、目標とする白色色度に設定可能であると共に、この白色色度の設定を行う際に同時に任意のガンマカーブに設定可能であるため、白色色度補正とガンマ補正を２段階で補正する場合に比べて滑らかな曲線を得ることができたが、低入力レベル部分において階調が滑らかにならない場合があった。
【００２３】
そこで、この実施例２では、低入力レベル部分においては輝度のみを考慮した補正を行うようにする。先ず、輝度のみを考慮した補正を適用する最大の入力レベルをｊとすると、入力レベルｊ＋１≦ｉ≦２５５の範囲においては、前記実施例１の方法を用いて補正データを算出する。次に、入力レベル０≦ｉ≦ｊの範囲について補正データを求めるが、この範囲の補正データについては、赤色用ＬＵＴ１６、緑色用ＬＵＴ１７、青色用ＬＵＴ１８のそれぞれで算出する。例えば、入力レベルｊ＋１に対するＬＣＤへの赤色入力をrj+1として、ＬＣＤ入力（rj+1,0,0）に対する輝度を前記式（２）により算出してYrj+1とする。このYrj+1を基準として、入力レベルｉの場合の輝度レベルYriを以下の式（７）によって算出する。
2006258850.tif 000007
【００２４】
この式（７）を用いて求めた輝度レベルYriに最も近い出力輝度を与える赤色入力riを入力レベル０≦ｉ≦ｊの範囲についてそれぞれ求める。同様の方法により、緑色信号及び青色信号についても入力レベル０≦ｉ≦ｊの範囲において緑色入力gi及び青色入力biを算出する。このように、低入力レベル０≦ｉ≦ｊの範囲では白色色度の調整は行わずに、３原色のそれぞれで輝度のみを考慮した補正を行うことで、低入力レベル部分での階調特性が滑らかとなる補正データを得ることができる。
【実施例３】
【００２５】
前記実施例１及び２においては、目標とする白色色度（xw,yw）に設定した補正データを赤色用ＬＵＴ１６、緑色用ＬＵＴ１７及び青色用ＬＵＴ１８に格納する構成としているが、この構成において目標とする白色色度（xw,yw）を複数設けて適宜変更可能とするためには、目標とする白色色度毎に３つのＬＵＴを設ける必要があり、ユーザが選択可能な白色色度の設定値の数を増やせば増やすほど回路規模が増大するという問題が生じてしまう。そこで、回路規模を増やすことなく目標とする白色色度を広い範囲で選択可能な構成をこの実施例３において示す。
【００２６】
図３に示すのは、本発明によるガンマ補正回路の他の実施例を示したブロック図であり、この図３において、赤色信号（Ｒ信号）入力端子１１、緑色信号（Ｇ信号）入力端子１２、青色信号（Ｂ信号）入力端子１３からそれぞれ入力された３原色の入力映像信号は、第１のガンマ補正回路１４の赤色用ＬＵＴ１６、緑色用ＬＵＴ１７、青色用ＬＵＴ１８に入力されて３原色それぞれの入力信号に対応したガンマ補正後の第１の補正データ（rA,gA,bA）を出力すると共に、第２のガンマ補正回路１９の赤色用ＬＵＴ２０、緑色用ＬＵＴ２１、青色用ＬＵＴ２２に入力されて３原色それぞれの入力信号に対応したガンマ補正後の第２の補正データ（rB,gB,bB）を出力する。
【００２７】
このようにして選択された第１の補正データ（rA,gA,bA）と第２の補正データ（rB,gB,bB）は、各色毎に係数回路２３の赤色用係数回路２４、緑色用係数回路２５、青色用係数回路２６に入力される。係数回路２３の赤色用係数回路２４、緑色用係数回路２５、青色用係数回路２６では、それぞれの係数回路で第１の補正データと第２の補正データに対して、係数入力端子２７によって設定された所定の係数を乗じた後に加算して、第３の補正データ（rC,gC,bC）を生成してＬＣＤ１５に出力する。この係数回路２３における処理は、以下の式（８）〜（１０）によって表すことができる。
2006258850.tif 000008
【００２８】
このような構成とすることで、予めＬＵＴに格納しておいた第１の補正データ（rA,gA,bA）と第２の補正データ（rB,gB,bB）に基づいて第３の補正データを近似的に生成して出力することが可能となる。例えば、白色色度の設定する色温度として、第１の補正データは10000Ｋに設定し、第２の補正データは5000Ｋに設定した状態で、7500Ｋの色温度となる第３の補正データを出力するためには、上記式（８）〜（１０）によって、予め全白入力（R255,G255,B255）に対してＬＣＤ出力が7500Ｋの白色色度（x75,y75）となる補正データを生成可能な係数kr、kg、kbを決定しておき、設定変更時にこの係数kr、kg、kbを係数入力端子２７から入力することで、7500Ｋの色温度となる第３の補正データを生成可能となる。この場合に限らず、第１の補正データと第２の補正データにおいて設定する白色色度の間に存在する白色色度については、同様に近似的に生成することが可能となり、回路規模を増やすことなく目標とする白色色度を広い範囲で選択可能な構成を実現することができる。
【００２９】
前記実施例においては、ＬＣＤ１５の表示特性を補正するためのガンマ補正回路として説明を行っているが、本発明はこれに限られるものではなく、加法混色の原理を適用するディスプレイ全てに適用可能なものである。
【図面の簡単な説明】
【００３０】
【図１】本発明によるガンマ補正回路の構成を示したブロック図である。
【図２】図１の回路によって補正した場合の色度曲線を表した模式図である。
【図３】本発明によるガンマ補正回路の他の構成を示したブロック図である。
【図４】本発明によるガンマ補正回路の各ＬＵＴに格納する補正データの算出の流れを表したフローチャートである。
【図５】図４の（S402）における詳細な流れを表したフローチャートである。
【図６】図４の（S403）における詳細な流れを表したフローチャートである。
【図７】図４の（S404）における詳細な流れを表したフローチャートである。
【符号の説明】
【００３１】
１１…赤色信号入力端子、１２…緑色信号入力端子、１３…青色信号入力端子、１４…（第１の）ガンマ補正回路、１５…ＬＣＤ、１６…赤色用ＬＵＴ、１７…緑色用ＬＵＴ、１８…青色用ＬＵＴ、１９…第２のガンマ補正回路、２０…赤色用ＬＵＴ、２１…緑色用ＬＵＴ、２２…青色用ＬＵＴ、２３…係数回路、２４…赤色用係数回路、２５…緑色用係数回路、２６…青色用係数回路、２７…係数入力端子。
【図１】
2006258850.tif 000009
【図２】
2006258850.tif 000010
【図３】
2006258850.tif 000011
【図４】
2006258850.tif 000012
【図５】
2006258850.tif 000013
【図６】
2006258850.tif 000014
【図７】
2006258850.tif 000015